(57)【要約】【課題】  内容物の減少とともに、容器を変形させ、容器内に残る内容物を少なくするようにしたチューブ容器を提供すること。【解決手段】  容器内の内容物を吐出する口筒部と、肩部と胴部とを具えたチューブ容器において、胴部の上端部に、外方に向かって突設され、反転変形可能な薄肉膨出部が設けられていることを特徴とし、薄肉膨出部として、胴部の上端部に、薄肉膨出部が環状に設けられていること、或いは、胴部の上端部に、薄肉膨出部が間欠的に配設されていることを特徴とする。【選択図】  図１
2010083511.tif 000002
【特許請求の範囲】
【請求項１】
容器内の内容物を吐出する口筒部と、肩部と胴部とを具えたチューブ容器において、
胴部の上端部に、外方に向かって突設され、反転変形可能な薄肉膨出部が設けられていることを特徴とするチューブ容器。
【請求項２】
胴部の上端部に、薄肉膨出部が環状に設けられていることを特徴とする請求項１記載のチューブ容器。
【請求項３】
胴部の上端部に、薄肉膨出部が間欠的に配設されていることを特徴とする請求項１記載のチューブ容器。
【請求項４】
薄肉膨出部が、上部が大きく突出した円弧部と、円弧部の最大突出部下方より中心に向かって緩やかな弧状として延びる傾斜部とからなっていることを特徴とする請求項１〜３のいずれかに記載のチューブ容器。
【発明の詳細な説明】
【技術分野】
【０００１】
本発明は、容器内に残る内容物を、少なくするようにしたチューブ容器に関するものである。
【背景技術】
【０００２】
クリーム状の内容物のチューブ容器として、容器の肩部に溝を設け、内容物の減少とともに、容器の変形を助け、容器内に残る内容物を少なくするようにしたチューブ容器は、従来より知られている（例えば、特許文献１参照）。
【特許文献１】実開平６−５９２４０号
【発明の開示】
【発明が解決しようとする課題】
【０００３】
上記特許文献記載のチューブ容器では、容器の肩部に溝を設けることによって、肩部を変形させ易くし、胴部の変形とともに肩部を変形させ、容器を潰し、容器内に残る内容物を少なくするようにしている。
しかしながら、内容物の減少に対し、上記特許文献記載のチューブ容器では、胴部の変形とともに肩部の変形が肩部に設けた対角線状の溝でしか変形せず、溝以外の肩部に対応する容器の潰れが中途半端なもので終了し、容器内に内容物が残るという問題があった。
【０００４】
本発明は、上記の問題を解決することを課題として、内容物の減少とともに、容器を変形させ、容器内に残る内容物を少なくするようにしたチューブ容器を提供することを目的とする。
【課題を解決するための手段】
【０００５】
本発明は、上記の課題を解決するため、チューブ容器として、容器内の内容物を吐出する口筒部と、肩部と胴部とを具えたチューブ容器において、胴部の上端部に、外方に向かって突設され、反転変形可能な薄肉膨出部が設けられていることを特徴とする構成を採用する。
【０００６】
薄肉膨出部の実施例として、胴部の上端部に、薄肉膨出部が環状に設けられていることを特徴とする構成、或いは、胴部の上端部に、薄肉膨出部が間欠的に配設されていることを特徴とする構成を採用する。
また、薄肉膨出部の形状として、薄肉膨出部が、上部が大きく突出した円弧部と、円弧部の最大突出部下方より中心に向かって緩やかな弧状として延びる傾斜部とからなっていることを特徴とする構成を採用する。
【発明の効果】
【０００７】
軟質の合成樹脂を素材として成形され、口筒部と肩部と胴部を具えたチューブ容器において、胴部の上端部に、外方に向かって突設されるとともに反転変形可能な薄肉膨出部が設けられているので、内容物の減少とともに、薄肉膨出部を反転させることで、容器内に残る内容物を少なくすることができる。
【発明を実施するための最良の形態】
【０００８】
次に、本発明のチューブ容器について、実施例をあげ、図面を参照して説明する。
【実施例１】
【０００９】
図１に示すように、容器は、軟質の合成樹脂を素材として成形され、容器内の内容物を吐出する口筒部１と肩部２と胴部３を具えている。
【００１０】
胴部３の上端部には、肩部２の下端から連設されるとともに、外方に向かって突設される環状の薄肉膨出部４が設けられている。
薄肉膨出部４の縦断面形状は、上部が大きく突出した円弧部４ａと、円弧部４ａの最大突出部下方より中心に向かって緩やかな弧状として延びる傾斜部４ｂとから構成されている。
【００１１】
薄肉膨出部４は、成形時に胴部３の上端部のみを膨らませることで、他の胴部３、および肩部２の壁に比べ薄肉に形成されており、内側へ反転し易い形状となっている。  
【００１２】
次に、本実施例のチューブ容器の使用態様と、作用効果について説明する。
チューブ容器は、クリーム状の内容物を充填した後、容器を密封する。
【００１３】
内容物を使用する際には、図示しない蓋体を外し、胴部３を適宜押して、内容物を口筒部１の先端より外に押し出して使用する。
その際、内容物の減少により内容物が口筒部１の先端側に移動するので、容器の底部の方から口筒部１に向い胴部３が潰され、図２（ａ）に示すように、容器が変形していく。
【００１４】
内容物を使用して、ある程度、内容物が残り少なくなった状態で薄肉膨出部４を押し込み、図２（ｂ）に示すように、内方に反転させ、反転した薄肉部４Ａとする。
その際、傾斜部４ｂを押圧することにより、反転をより容易にすることができる。
【００１５】
さらに、内容物を使用していくと、薄肉部４Ａが、肩部２の下面に近づいていき、最後は、図３に示すように、薄肉部４Ａと肩部２の下面との間が当接するように潰れるとともに、胴部３が完全に潰れ、内容物の押し出しが終了される。
【００１６】
本実施例のチューブ容器は、薄肉膨出部４を押し込み、反転させ、薄肉部４Ａとすることで、容器が潰れていくと、薄肉部４Ａと肩部２の下面との間が当接するように潰れていくので、その空間の分だけ、残る内容物を少なくすることができる。
【実施例２】
【００１７】
次に、第１実施例のチューブ容器の胴部の構成を変えた第２実施例について説明する。
本実施例の第１実施例と同一の構成部分には、同一の符号を付して図示し、詳しい説明を省略し、相違点を中心に説明する。  
【００１８】
図４に示すように、容器は、口筒部１と肩部２と胴部５を具えている。
胴部５の底部６は、一般的なチューブ容器のように、円筒形に形成された胴部５を、表面側５ａと裏面側５ｂとに分けるようにして貼着したものである。
【００１９】
胴部５の上端部には、外方に向かって突設される薄肉膨出部７ａ、７ｂが対称位置に配設されている。
また、その位置は、表面側５ａおよび裏面側５ｂに対応する位置が好ましい。
薄肉膨出部７ａ、７ｂの縦断面形状は、実施例１と同様に、円弧部７ａａ、７ｂａと、緩やかな弧状として延びる傾斜部７ａｂ、７ｂｂとから構成され、反転にあたっては、同一の作用を得ることができる。
【００２０】
薄肉膨出部７ａ、７ｂは、成形時に胴部５の上端部の表面側５ａおよび裏面側５ｂに対応する位置のみを膨らませることで、他の胴部５および肩部２の壁に比べ薄肉に形成されている。
【００２１】
次に、本実施例のチューブ容器の作用効果について説明する。
胴部５の表面側５ａと裏面側５ｂを内方に押圧し、内容物を使用して、ある程度、内容物が残り少なくなった状態で薄肉膨出部７ａ、７ｂを押し込み、図５に示すように、内方に反転させ、反転した薄肉部７Ａ、７Ｂとする。
【００２２】
さらに、内容物を使用していくと、薄肉部７Ａ、７Ｂが、肩部２の下面に近づいていき、最後は、薄肉部７Ａ、７Ｂと肩部２の下面との間が当接するように潰れるとともに、胴部５の表面側５ａと裏面側５ｂとの間が完全に潰れ、内容物の押し出しが終了される。
【００２３】
本実施例のチューブ容器は、薄肉膨出部７ａ、７ｂを押し込み、反転させ、薄肉部７Ａ、７Ｂとすることで、容器が潰れていくと、薄肉部７Ａ、７Ｂと肩部２の下面との間が当接するように潰れていくので、その空間の分だけ残る内容物を少なくすることができる。
【００２４】
前記実施例では、薄肉膨出部を好ましい位置として、胴部の底部に対する表面側および裏面側に対応する位置に配設したが、別に、底部に対する両側面側に薄肉膨出部を配設するようにしてもよい。
また、薄肉膨出部を、例えば、表面側のみ一つ設けたり、全周に間欠的に複数設けたりしても、内容物を使用して、ある程度、内容物が残り少なくなった状態で薄肉膨出部を押し込み、反転させ、薄肉部とすることで、容器を潰していくと、薄肉部と肩部の下面との間が当接するように潰れていくので、その空間の分だけ、残る内容物を少なくすることができる。
胴部の上端部に配設する薄肉膨出部の配設場所、および数は、前記実施例の構成に限定されない。
【産業上の利用可能性】
【００２５】
本発明のチューブ容器は、胴部の上端部に薄肉膨出部を設けたことによって、容器を押潰して内容物を使用した後に、残る内容物を少なくすることができるので、食料品、化粧品、薬品、その他のクリーム状の内容物のチューブ容器として、広く利用することができる。
【図面の簡単な説明】
【００２６】
【図１】本発明の第１実施例のチューブ容器の説明図で、（ａ）は上面図、（ｂ）は一部断面側面図である。
【図２】チューブ容器の使用時の説明図で、（ａ）は胴部押圧時、（ｂ）は薄肉膨出部反転時である。
【図３】チューブ容器の使用終了時の説明図で、（ａ）は上面図、（ｂ）は一部断面側面図である。
【図４】本発明の第２実施例のチューブ容器の説明図で、（ａ）は上面図、（ｂ）は一部断面側面図である。
【図５】チューブ容器の薄肉膨出部反転時の説明図である。
【符号の説明】
【００２７】
１            口筒部
２            肩部
３、５        胴部
４、７ａ、７ｂ  薄肉膨出部
４ａ、７ａａ、７ｂａ  円弧部
４ｂ、７ａｂ、７ｂｂ  傾斜部
４Ａ、７Ａ、７Ｂ  薄肉部
５ａ          表面側
５ｂ          裏面側
６            底部
【図１】
2010083511.tif 000003
【図２】
2010083511.tif 000004
【図３】
2010083511.tif 000005
【図４】
2010083511.tif 000006
【図５】
2010083511.tif 000007